(57)【要約】【課題】カラーマネージメントシステムにおいて測色時の裏当て条件の違いによる色再現の誤差を小さくする。【解決手段】被測定物を測色する際に用いられる裏当て材の色を変えた第１の裏当て条件と第２の裏当て条件で被測定物の同色部を測色する測色手段と、この測色手段において第１の裏当て条件で被測定物の同色部を測色したときの測色データと第２の裏当て条件で被測定物の同色部を測色したときの測色データとに基づいて変換係数を算出する演算部１２と、この演算部１２で算出した変換係数を保持するデータ保持部１１とを備え、演算部１２は、測色手段において第１の裏当て条件で被測定物を測色して得られた測色データを、データ保持部１１で保持した変換係数に基づいて変換する。【選択図】図２
2005249563.tif 000002
【特許請求の範囲】
【請求項１】
被測定物を測色する際に用いられる裏当て材の色を変えた第１の裏当て条件と第２の裏当て条件で前記被測定物の同色部を測色する測色手段と、
前記測色手段において前記第１の裏当て条件で前記被測定物の同色部を測色したときの測色データと前記第２の裏当て条件で前記被測定物の同色部を測色したときの測色データとに基づいて変換係数を算出する算出手段と、
前記測色手段において前記第１の裏当て条件で前記被測定物を測色して得られた測色データを、前記算出手段で算出された前記変換係数に基づいて変換する変換手段と
を備えることを特徴とする測色装置。
【請求項２】
前記第１の裏当て条件では前記裏当て材の色を黒とし、前記第２の裏当て条件では前記裏当て材の色を白とする
ことを特徴とする請求項１記載の測色装置。
【請求項３】
前記算出手段は、前記第１の裏当て条件で前記被測定物の同色部を測色したときの測色データと前記第２の裏当て条件で前記被測定物の同色部を測色したときの測色データとの比に基づいて前記変換係数を算出する
ことを特徴とする請求項１記載の測色装置。
【請求項４】
前記算出手段は、前記第１の裏当て条件で前記被測定物の同色部を測色したときの測色データと前記第２の裏当て条件で前記被測定物の同色部を測色したときの測色データとの差に基づいて前記変換係数を算出する
ことを特徴とする請求項１記載の測色装置。
【請求項５】
前記第１の裏当て条件に対応する色の裏当て部と、前記第２の裏当て条件に対応する色の裏当て部とを有する
ことを特徴とする請求項１記載の測色装置。
【請求項６】
前記被測定物の同色部の裏側に当てられる前記裏当て材の色を切換可能な切換手段を具備する
ことを特徴とする請求項１記載の測色装置。
【請求項７】
前記被測定物の同色部は、白色または非印刷部である
ことを特徴とする請求項１記載の測色装置。
【請求項８】
被測定物を測色する際に用いられる裏当て材の色を変えた第１の裏当て条件と第２の裏当て条件のうち、前記第１の裏当て条件で前記被測定物の同色部を測色する測色手段と、
前記第２の裏当て条件で前記被測定物の同色部を測色したときの測色データを入力する入力手段と、
前記測色手段において前記第１の裏当て条件で前記被測定物の同色部を測色したときの測色データと前記入力手段から入力された前記第２の裏当て条件で前記被測定物の同色部を測色したときの測色データとに基づいて変換係数を算出する算出手段と、
前記測色手段において前記第１の裏当て条件で前記被測定物を測色して得られた測色データを、前記算出手段で算出された前記変換係数に基づいて変換する変換手段と
を備えることを特徴とする測色装置。
【請求項９】
被測定物を測色する際に用いられる裏当て材の色を変えた第１の裏当て条件と第２の裏当て条件で前記被測定物の同色部を測色したときの測色データに基づいて変換係数を算出する算出手段と、
前記第１の裏当て条件で前記被測定物を測色して得られた測色データを、前記算出手段で算出された前記変換係数に基づいて変換する変換手段と
を備えることを特徴とするデータ変換装置。
【請求項１０】
前記第１の裏当て条件では前記裏当て材の色を黒とし、前記第２の裏当て条件では前記裏当て材の色を白とする
ことを特徴とする請求項９記載のデータ変換装置。
【請求項１１】
前記算出手段は、前記第１の裏当て条件で前記被測定物の同色部を測色したときの測色データと前記第２の裏当て条件で前記被測定物の同色部を測色したときの測色データとの比に基づいて前記変換係数を算出する
ことを特徴とする請求項９記載のデータ変換装置。
【請求項１２】
前記算出手段は、前記第１の裏当て条件で前記被測定物の同色部を測色したときの測色データと前記第２の裏当て条件で前記被測定物の同色部を測色したときの測色データとの差に基づいて前記変換係数を算出する
ことを特徴とする請求項９記載のデータ変換装置。
【請求項１３】
被測定物を測色する際に用いられる裏当て材の色を変えた第１の裏当て条件と第２の裏当て条件で前記被測定物の同色部を測色したときの測色データに基づいて変換係数を算出する算出工程と、
前記第１の裏当て条件で前記被測定物を測色して得られた測色データを、前記算出工程で算出された前記変換係数に基づいて変換する変換工程と
を含むことを特徴とするデータ変換方法。
【請求項１４】
被測定物を測色する際に用いられる裏当て材の色を変えた第１の裏当て条件と第２の裏当て条件で前記被測定物の同色部を測色したときの測色データに基づいて算出された変換係数を保持する保持手段と、
前記第１の裏当て条件で測色されかつプロファイル作成用に入力された測色データを、前記保持手段で保持された前記変換係数に基づいて変換する変換手段と、
前記変換手段で変換された測色データを適用して色変換プロファイルを作成する作成手段と
を備えることを特徴とするプロファイル作成装置。
【請求項１５】
被測定物を測色する際に用いられる裏当て材の色を変えた第１の裏当て条件と第２の裏当て条件で前記被測定物の同色部を測色したときの測色データに基づいて算出された変換係数を保持する保持手段と、
前記第１の裏当て条件で測色された第１の色変換プロファイルの測色データを、前記保持手段で保持された前記変換係数に基づいて変換する変換手段と、
前記変換手段で変換された測色データを適用して第２の色変換プロファイルを作成する作成手段と
を備えることを特徴とするプロファイル作成装置。
【請求項１６】
前記第１の色変換プロファイルのタグ情報にしたがって当該第１の色変換プロファイルが前記第１の裏当て条件で測色された測色データを適用して作成されたものであるか否かを判定する判定手段を具備する
ことを特徴とする請求項１５記載のプロファイル作成装置。
【発明の詳細な説明】
【技術分野】
【０００１】
本発明は、カラーマネージメントシステムでデバイス間の色合わせを行う際に用いて好適な測色装置、データ変換装置及びプロファイル作成装置に関する。
【背景技術】
【０００２】
カラー画像を取り扱う様々なカラーデバイス（カラースキャナ、カラーディスプレイ、カラープリンタなど）の間で意図通りの色再現を得るために、デバイス間の色データのやり取りを、デバイス非依存の色データを介して行なうことにより、一貫した色再現を実現するカラーマネージメントシステム（以下、ＣＭＳと略称）が確立されている。このＣＭＳではデバイスに依存するＲＧＢ表色系やＹＭＣＫ表色系などの色データを、デバイスプロファイル情報に基づいてＣＩＥＸＹＺやＣＩＥＬＡＢなどのデバイスに依存しない色空間の色データに変換している。ＣＩＥＸＹＺやＣＩＥＬＡＢの色データは、カラー画像を測色することによって得られる測色データ（測色値）である。このようなデバイス非依存のＣＩＥＸＹＺやＣＩＥＬＡＢの色データは、デバイス依存のＲＧＢ表色系やＣＭＹＫ表色系などの色データに変換され、この色データに適合するデバイス（例えば、ＲＧＢデータであればカラーディスプレイ、ＹＭＣＫデータであればカラープリンタ）で目的の色が再現される。
【０００３】
一般に、カラー画像の測色は分光光度計を備えた測色装置を用いて行われるが、同じ印刷サンプルを測色しても、測色条件が変わると、結果として得られる測色データは異なるものとなる。そこで、例えば下記特許文献１には、測色時の光学系の幾何条件の違いを補正する技術が記載されている。測色条件としては、測色時の光学系の幾何条件のほか、被印刷物の下に敷く裏当て材の特性、特に裏当て材の色の違いがある。測色時に使用する裏当て材の色に関してはＩＳＯ（国際標準化機構）の規格で黒を推奨しており、多くの標準規格でもＩＳＯの規格に則って測色された測色データを採用している。
【０００４】
ただし、実際には、裏当て材の色の違いによる測色条件（裏当て条件）として、白の裏当て材を使用した方が好ましい場合がある。例えば、カラープリンタで印刷した印刷物を複数枚重ねて見るときに、各々の印刷面の裏側には用紙の下地となる白色の面が重ねられる場合が多いため、見た目の印象に近い色を再現するには白の裏当て材を用いて測色した測色データを用いてプロファイルを作成した方が好ましいものとなる。その一方で、黒の裏当て材を使用した方が好ましい場合もある。例えば、両面印刷で出力された印刷物の場合は、裏当て材の色が黒になっていると表面のカラー画像を測色したときの測色データが裏面印刷の影響を受けずに済む。このような事情から、現在では、黒の裏当て材を使用して測色されたデータと白の裏当て材を使用して測色されたデータがＣＭＳの中に混在した状況となっている。
【０００５】
【特許文献１】特開平９−２１４７８６号公報
【発明の開示】
【発明が解決しようとする課題】
【０００６】
ここで、本発明者が行った実験結果を図２１に示す。図示のように、ＣＩＥＬＡＢ色空間のa*-b*平面上で、黒の裏当て材を使用して測色した測色データ（菱形マークでプロットしたデータ）と白の裏当て材を使用して測色した測色データ（三角マークでプロットしたデータ）を比較すると、裏当て材の色の違いにより、双方の測色データに差が生じている。具体的には、印刷サンプルの同一箇所で黒の裏当て材を使用して測色した測色データ(L*，a*，b*＝86.61,-6.64,96.20)と、白の裏当て材を使用して測色した測色データ(L*，a*，b*＝88.71,-5.50,99.05)とを用いて周知の計算式により色差を求めたところ、３以上の色差が認められた。
【０００７】
また、印刷サンプルに印刷されたイエロー、ライトグリーン、シアンの各色のカラーパッチを、それぞれ黒の裏当て材と白の裏当て材を使用して測色したところ、測色データとして得られた分光反射率に、裏当て材の色の影響で図２２のような差異が生じた。色差の程度（大小）は色ごとに異なり、特に黄色の色データに近い色域では色差が大きくなる傾向にある。また、上記測色データで生じた色差は印刷サンプルに印刷用のアート紙（コート量が多い光沢紙）を用いた場合の値であり、それよりも薄い用紙を用いた場合は、さらに大きな色差が生じることになる。
【０００８】
このように同じ印刷サンプルを測色しても、得られる測色データは裏当て条件（裏当て材の色の違い）によって変わるため、上述のように黒の裏当て材を使用して測色されたデータと白の裏当て材を使用して測色されたデータがＣＭＳの中に混在した状況では、裏当て条件（裏当て材の色）の違いによる測色データの差（色差）が色再現の誤差となって現れてしまう。
【０００９】
本発明は、上記課題を解決するためになされたもので、その目的とするところは、ＣＭＳにおいて測色時の裏当て条件の違いによる色再現の誤差を小さくすることにある。
【課題を解決するための手段】
【００１０】
本発明に係る測色装置は、被測定物を測色する際に用いられる裏当て材の色を変えた第１の裏当て条件と第２の裏当て条件で被測定物の同色部を測色する測色手段と、この測色手段において第１の裏当て条件で被測定物の同色部を測色したときの測色データと第２の裏当て条件で被測定物の同色部を測色したときの測色データとに基づいて変換係数を算出する算出手段と、測色手段において第１の裏当て条件で被測定物を測色して得られた測色データを、算出手段で算出された変換係数に基づいて変換する変換手段とを備えるものである。
【００１１】
本発明に係る測色装置においては、裏当て材の色を変えた第１の裏当て条件と第２の裏当て条件で被測定物の同色部を測色して得られる測色データに基づいて変換係数を算出し、第１の裏当て条件で測色された測色データを変換係数に基づいて変換することにより、第１の裏当て条件で測色された測色データを第２の裏当て条件に適合する測色データに変換することが可能となる。
【００１２】
本発明に係るデータ変換装置は、被測定物を測色する際に用いられる裏当て材の色を変えた第１の裏当て条件と第２の裏当て条件で被測定物の同色部を測色したときの測色データに基づいて変換係数を算出する算出手段と、第１の裏当て条件で被測定物を測色して得られた測色データを、算出手段で算出された変換係数に基づいて変換する変換手段とを備えるものである。また、本発明に係るデータ変換方法は、被測定物を測色する際に用いられる裏当て材の色を変えた第１の裏当て条件と第２の裏当て条件で被測定物の同色部を測色したときの測色データに基づいて変換係数を算出する算出工程と、第１の裏当て条件で被測定物を測色して得られた測色データを、算出工程で算出された変換係数に基づいて変換する変換工程とを含むものである。
【００１３】
本発明に係るデータ変換装置及びデータ変換方法においては、裏当て材の色を変えた第１の裏当て条件と第２の裏当て条件で被測定物の同色部を測色したときの測色データに基づいて変換係数を算出し、第１の裏当て条件で測色された測色データを変換係数に基づいて変換することにより、第１の裏当て条件で測色された測色データを第２の裏当て条件に適合する測色データに変換することが可能となる。
【００１４】
本発明に係るプロファイル作成装置は、被測定物を測色する際に用いられる裏当て材の色を変えた第１の裏当て条件と第２の裏当て条件で被測定物の同色部を測色したときの測色データに基づいて算出された変換係数を保持する保持手段と、第１の裏当て条件で測色されかつプロファイル作成用に入力された測色データを、保持手段で保持された変換係数に基づいて変換する変換手段と、この変換手段で変換された測色データを適用して色変換プロファイルを作成する作成手段とを備えるものである。
【００１５】
本発明に係るプロファイル作成装置においては、第１の裏当て条件で測色された色データを変換係数に基づいて変換し、この変換した測色データを適用して色変換プロファイルを作成することにより、第１の裏当て条件で測色された色データを用いて、第２の裏当て条件に適合する色変換プロファイルを得ることが可能となる。
【００１６】
本発明に係る他のプロファイル作成装置は、被測定物を測色する際に用いられる裏当て材の色を変えた第１の裏当て条件と第２の裏当て条件で被測定物の同色部を測色したときの測色データに基づいて算出された変換係数を保持する保持手段と、第１の裏当て条件で測色された第１の色変換プロファイルの測色データを、保持手段で保持された変換係数に基づいて変換する変換手段と、この変換手段で変換された測色データを適用して第２の色変換プロファイルを作成する作成手段とを備えるものである。
【００１７】
本発明に係る他のプロファイル作成装置においては、第１の色変換プロファイルの作成に適用された測色データを変換係数に基づいて変換し、この変換した測色データを適用して第２の色変換プロファイルを作成することにより、第１の裏当て条件に適合する色変換プロファイル（第１の色変換プロファイル）の測色データを用いて、第２の裏当て条件に適合する色変換プロファイル（第２の色変換プロファイル）を得ることが可能となる。
【発明の効果】
【００１８】
本発明によれば、ＣＭＳで色再現を行うにあたって、裏当て条件（裏当て材の色）の違いによる測色データの差を解消し、色再現の向上を図ることができる。
【発明を実施するための最良の形態】
【００１９】
以下、本発明の具体的な実施の形態について図面を参照しつつ詳細に説明する。
【００２０】
図１は本発明の第１実施形態に係る測色装置の測色系の構成を示す概略平面図である。図において、測定台１のほぼ中央部に被測定物を設置するためのセット部２が設けられている。セット部２は平面視矩形状に区画されている。また、セット部２にはその周辺部（ハッチング部分）も含めて一様に黒の裏当て材が敷設されている。また、測定台１の前部には操作パネル３が設けられている。操作パネル３は測色装置を使用するユーザによって操作されるものである。操作パネル３には、ユーザが測色の開始や測色位置、測色条件などを指示するために操作する入力部（スイッチ、ボタンなど）の他、ユーザに対して操作の案内や測色の状況などを表示するための表示部（液晶パネルなど）が設けられている。
【００２１】
また、操作パネル３に隣接する位置には、白色裏当て部４が設けられている。この白色裏当て部４は、上記セット部２よりも小さな領域で平面視矩形状に区画されている。また、測定台１上には可動アーム５と測色ヘッド６が設けられている。可動アーム５は測定台１の幅寸法（長手寸法）とほぼ等しいアーム長を有するもので、図示しないアーム移動部によって測定台１の奥行き方向（Ｙ方向）に移動可能に支持されている。
【００２２】
測色ヘッド６は、測色のための光学系（光源、発光素子、受光素子など）を一体に備えるもので、図示しないヘッド駆動部によって駆動されるものである。この測色ヘッド６は測定台１から若干浮いた状態で可動アーム５により支持されている。また、測色ヘッド６は、図示しないヘッド移動部によって可動アーム５の長さ方向（Ｘ方向）に移動可能に支持されている。つまり、測色ヘッド６は、測定台１上で直交二軸方向（ＸＹ方向）に移動可能に支持されている。さらに、測定台１には図示しない制御端末との間でデータ通信を行うためのインタフェース部７が設けられている。制御端末はパーソナルコンピュータなどによって構成されるものである。
【００２３】
図２は本発明の第１実施形態に係る測色装置の制御系の構成を示すブロック図である。図においては、上述した操作パネル３及びインタフェース部（ＩＦ部）７と共通のバスラインＢＬに、アーム駆動部８、ヘッド駆動部９、制御部１０、データ保持部１１、演算部１２が接続されている。操作パネル３は、上述した入力部３Ａと表示部３Ｂによって構成されている。インタフェース部７は、上記図１に示す測色系を用いて測色された測色データの転送や、制御端末からのリモート操作信号の入力、変換係数の転送などを行うためのものである。
【００２４】
アーム駆動部８は、上述した可動アーム５を移動させるための駆動部分となるアーム移動部と測色ヘッド６を移動させるための駆動部分となるヘッド移動部とを有するものである。ヘッド駆動部９は、上述した測色ヘッド６を駆動して測色を実施するためのものである。制御部１０は、測色装置全体の動作を統括的に制御するものである。データ保持部１１は、測色装置で取り扱う各種のデータを記憶して保持するものである。演算部１２は、後述する変換係数の算出や、この変換係数を用いて測色データを変換する際の演算を行うものである。
【００２５】
図３は本発明の第１実施形態に係る測色装置を用いて印刷サンプルを測色する際の手順を示すフローチャートである。被測定物となる印刷サンプル（基準サンプル）には、複数の異なる色を表す複数のカラーパッチが印刷されたものを用いる。
【００２６】
まず、印刷サンプルを測色するにあたって、ユーザは、被測定面を上向きにして印刷サンプルを測定台１のセット部２に載置した後、操作パネル３の入力部３Ａで所望の裏当て条件を入力（選択）してから測色の開始ボタンを押す。そうすると、制御部１０は、操作パネル３の入力部３Ａから入力された裏当て条件にしたがって測色の裏当て条件を設定する（ステップＳ１）。ユーザが操作パネル３を用いて入力（選択）可能な裏当て条件には、裏当て材の色を黒とする第１の裏当て条件と、裏当て材の色を白とする第２の裏当て条件がある。なお、ユーザによって裏当て条件の入力を行わずに測色の開始ボタンを押した場合は、制御部１０でデフォルトの裏当て条件（例えば、第１の裏当て条件）を自動的に選択して設定する。
【００２７】
続いて、制御部１０では、先に設定した裏当て条件が第１の裏当て条件であるか否かを判断する（ステップＳ２）。そして、第１の裏当て条件に設定されている場合はステップＳ９に移行する。ステップＳ９では、アーム駆動部８とヘッド駆動部９にそれぞれ駆動信号を出力して測色ヘッド６をセット部２のほぼ真上に移動し、そこに載置されている印刷サンプルの測色を実施する。その際、測色ヘッド６は、アーム駆動部８によってＸＹ方向に適宜移動しながら、セット部２に載置された印刷サンプルの測色をカラーパッチごとに行う。測色ヘッド６で測色された各カラーパッチに対応する測色データは制御部１０の指示にしたがってデータ保持部１１に記憶保持される。また、印刷サンプルのカラーパッチの測色に使用した裏当て材の色は黒となるため、第１の裏当て条件が適用されたことになる。次いで、制御部１０では、裏当て条件が第１の裏当て条件に設定されているか否かを再び判断し（ステップＳ１０）、第１の裏当て条件に設定されている場合は、データ保持部１１に保持された測色データをインタフェース部７から制御端末に出力させる（ステップＳ１２）。
【００２８】
一方、上記ステップＳ２において、裏当て条件が第１の裏当て条件に設定されていなかった場合（換言すると、第２の裏当て条件に設定されていた場合）、制御部１０は、印刷サンプルの非印刷部を測定台１の白色裏当て部４に位置合わせして置くように指示する案内メッセージを操作パネル３の表示部３Ｂに表示させる（ステップＳ３）。これにより、ユーザは、表示部３Ｂに表示された指示内容にしたがって印刷サンプルの非印刷部を白色裏当て部４に位置合わせする。印刷サンプルの非印刷部とは、印刷サンプルの被測定面の領域内でカラーパッチが印刷されていない部分（印刷サンプルに使用した用紙の地肌が露出している部分）をいう。
【００２９】
次いで、制御部１０は、アーム駆動部８とヘッド駆動部９にそれぞれ駆動信号を出力して測色ヘッド６を白色裏当て部４のほぼ真上に移動し、そこで印刷サンプルの非印刷部を測色する（ステップＳ４）。この場合、非印刷部の測色に使用した裏当て材の色は白となるため、第２の裏当て条件が適用されたことになる。白色裏当て部４を使用して測色された非印刷部の測色データ（分光反射率）Ｒwbは制御部１０の指示にしたがってデータ保持部１１に記憶保持される。次に、制御部１０では、印刷サンプルをセット部２に載置するように指示する案内メッセージを操作パネル３の表示部３Ｂに表示させる（ステップＳ５）。これにより、ユーザは、表示部３Ｂに表示された指示内容にしたがって印刷サンプルをセット部２に載置する。
【００３０】
続いて、制御部１０では、セット部２に載置された印刷サンプルの非印刷部のほぼ真上に測色ヘッド６を移動するように指示する案内メッセージを操作パネル３の表示部３Ｂに表示させる（ステップＳ６）。これにより、ユーザは、表示部３Ｂに表示された指示内容にしたがって操作パネル３の入力部３Ａに設けられた上下左右の矢印ボタンを適宜操作することにより、印刷サンプルの非印刷部のほぼ真上に測色ヘッド６を移動させる。次いで、制御部１０は、ヘッド駆動部９に駆動信号を出力して印刷サンプルの非印刷部を測色する（ステップＳ７）。この場合、非印刷部の測色に使用した裏当て材の色は黒となるため、第１の裏当て条件が適用されたことになる。黒の裏当て材を使用して測色された非印刷部の測色データ（分光反射率）Ｒbbは制御部１０の指示にしたがってデータ保持部１１に記憶保持される。
【００３１】
その後、制御部１０は、データ保持部１１に保持された測色データＲwb，Ｒbbを演算部１２に転送して変換係数の算出を実行させる（ステップＳ８）。演算部１２で算出された変換係数はデータ保持部１１に保持される。また、演算部１２で変換係数を算出するにあたっては、裏当て条件（裏当て材の色）を変えて印刷サンプルの非印刷部を測色したとき得られた測色データＲwb，Ｒbbの比に基づいて変換係数を算出する場合と、測色データＲwb，Ｒbbの差に基づいて変換係数を算出する場合の２通りが考えられる。
【００３２】
まず、測色データＲwb，Ｒbbの比に基づいて算出する場合は、次の計算式を適用して変換係数Ｈk1を求める。
Ｈk1＝Ｒwb÷Ｒbb
【００３３】
また、測色データＲwb，Ｒbbの差に基づいて算出する場合は、次の計算式を適用して変換係数Ｈk2を求める。
Ｈk2＝Ｒwb−Ｒbb
【００３４】
なお、上記の計算式は測色データが分光反射率、三刺激値ＸＹＺのいずれで与えられる場合でも同様に適用可能である。分光反射率の場合は、分光の波長毎に上記計算式を適用して変換係数を求めることになる。また、三刺激値ＸＹＺの場合は、Ｘ，Ｙ，Ｚの各値ごとに上記計算式を適用して変換係数を求めることになる。また、上記の計算式で求められる変換係数Ｈk1，Ｈk2は、いずれも第１の裏当て条件で測色された測色データを変換する際に用いられるものであり、第２の裏当て条件で測色された測色データを変換する場合は、測色データＲwb，Ｒbbを入れ替えて算出した変換係数が用いられる。
【００３５】
続いて、制御部１０では、アーム駆動部８とヘッド駆動部９にそれぞれ駆動信号を出力して測色ヘッド６をセット部２の上で移動させ、そこに載置されている印刷サンプルの測色を実施する（ステップＳ９）。次いで、制御部１０では、裏当て条件が第１の裏当て条件に設定されているか否かを再び判断し（ステップＳ１０）、第１の裏当て条件に設定されていなかった場合（換言すると、第２の裏当て条件に設定されていた場合）は、データ保持部１１に保持された測色データを、先のステップＳ８で演算部１２が算出した変換係数に基づいて変換し（ステップＳ１１）、この変換後の測色データをインタフェース部７から制御端末に出力させる（ステップＳ１２）。
【００３６】
測色データの変換に係る演算処理は制御部１０からの指示にしたがって演算部１２で実行される。その際、演算部１２には、データ変換の対象となる測色データ、すなわちステップＳ９で測色ヘッド６により測色されかつデータ保持部１１に保持された測色データと、データ変換に使用する変換係数、すなわちステップＳ８で演算部１２により算出されかつデータ保持部１１に保持された変換係数が与えられる。
【００３７】
変換係数を用いて測色データを変換する場合の演算は、上述した２通りの計算式で算出された変換係数Ｈk1，Ｈk2のいずれを適用するかによって異なるものである。すなわち、変換係数Ｈk1を適用する場合は、この変換係数Ｈk1が測色データＲwb，Ｒbbの比に基づいて算出されたものであるため、これに合わせた計算式を適用して測色データを変換する。具体的には、変換の対象となる測色データ（分光反射率）をＲd、変換係数を用いて変換した後の測色データ（分光反射率）をＲd′とすると、この変換後の測色データＲd′を次の計算式によって求める。
Ｒd′＝Ｒd×Ｈk1
【００３８】
また、変換係数Ｈk2を適用する場合は、この変換係数Ｈk2が測色データＲwb，Ｒbbの差に基づいて算出されたものであるため、これに合わせた計算式を適用して測色データを変換する。具体的には、変換の対象となる測色データ（分光反射率）をＲd、変換係数を用いて変換した後の測色データ（分光反射率）をＲd′とすると、この変換後の測色データＲd′を次の計算式によって求める。
Ｒd′＝Ｒd＋Ｈk2×Ｒd÷１００
【００３９】
このような計算式にしたがって測色データを変換することにより、第１の裏当て条件（裏当て材の色が黒）で測色された印刷サンプル（カラーパッチ）の測色データＲdが、第２の裏当て条件（裏当て材の色が白）に適合する測色データＲｄ′に変換される。
【００４０】
以上の手順にしたがって印刷サンプルを測色することにより、被測定物が載置されるセット部２に黒の裏当て材を敷き込んだ測色装置であっても、ユーザが所望する裏当て条件に合わせて、第１の裏当て条件に適合する測色データと第２の裏当て条件に適用する測色データのいずれかを出力させることができる。したがって、測色装置から出力される測色データを用いて、裏当て材の色を黒とした場合に適合するプロファイルと裏当て材の色を白とした場合に適合するプロファイルの両方を作成することが可能となる。その結果、ＣＭＳで色再現を行うにあたって、裏当て条件（裏当て材の色）の違いによる測色データの差を解消し、色再現の向上を図ることができる。
【００４１】
図４は本発明の測色装置による印刷サンプルの測色結果の一例を示す図である。図から分かるように、印刷サンプルに印刷されたイエロー、ライトグリーン、シアンの各カラーパッチを、それぞれ裏当て材の色を白と黒に変えて測定すると、各色の測定データに裏当て材の色の違いによって色差が生じる。この場合、裏当て材の色の違いによって生じる平均色差は１．６８、最大色差は３．６７であった。これに対して、裏当て材の色を黒にして測定した測定データを、上記変換係数Ｈk1を用いた演算により変換した場合は、裏当て材の色を白にして測定した測定データに近似したデータが得られている。この場合、裏当て材の色を白にして測定した測定データと変換係数Ｈk1を用いて変換した測色データとの平均色差は０．４８で、最大色差は０．９４であった。また、裏当て材の色を黒にして測定した測定データを、上記変換係数Ｈk2を用いた演算により変換した場合も、図５に示すように、裏当て材の色を白にして測定した測定データに近似したデータが得られている。この場合、裏当て材の色を白にして測定した測定データと変換係数Ｈk2を用いて変換した測色データとの平均色差は０．５５で、最大色差は１．０５であった。
【００４２】
なお、ここでは、一例として、裏当て材の色を黒にして測定した測定データを、上記変換係数Ｈk1を用いた演算により変換することにより、裏当て材の色を白にして測定した測定データに近似したデータを得るものとしたが、これと反対に、裏当て材の色を白にして測定した測定データを、上記同様に変換係数を用いた演算により変換することにより、裏当て材の色を黒にして測定した測定データに近似したデータを得ることも可能である。
【００４３】
図６は本発明の第２実施形態に係る測色装置の測色系の構成を示す概略平面図である。図示した測色系の構成においては、上記第１実施形態に係る測色系の構成と比較して、特に、操作パネル３に隣接する位置（図の左隣り）に、白色裏当て部４Ａと黒色裏当て部４Ｂといった２つの異なる色の裏当て部が並んで設けられている点が異なり、それ以外の構成は制御系の構成を含めて共通のものとなっている。黒色裏当て部４Ｂの色は、セット部２に敷設された裏当て材と同じ色である。
【００４４】
図７は本発明の第２実施形態に係る測色装置を用いて印刷サンプルを測色する際の手順を示すフローチャートである。
【００４５】
まず、印刷サンプルを測色するにあたって、ユーザは、被測定面を上向きにして印刷サンプルを測定台１のセット部２に載置した後、操作パネル３の入力部３Ａで所望の裏当て条件を入力（選択）してから測色の開始ボタンを押す。そうすると、制御部１０は、操作パネル３の入力部３Ａから入力された裏当て条件にしたがって測色の裏当て条件を設定する（ステップＳ２１）。
【００４６】
続いて、制御部１０では、先に設定した裏当て条件が第１の裏当て条件であるか否かを判断する（ステップＳ２２）。そして、第１の裏当て条件に設定されている場合はステップＳ２９に移行する。ステップＳ２９では、アーム駆動部８とヘッド駆動部９にそれぞれ駆動信号を出力して測色ヘッド６をセット部２のほぼ真上に移動し、そこに載置されている印刷サンプルの測色を実施する。その際、測色ヘッド６は、アーム駆動部８によってＸＹ方向に適宜移動しながら、セット部２に載置された印刷サンプルの測色をカラーパッチごとに行う。測色ヘッド６で測色された各カラーパッチに対応する測色データは制御部１０の指示にしたがってデータ保持部１１に記憶保持される。また、印刷サンプルのカラーパッチの測色に使用した裏当て材の色は黒となるため、第１の裏当て条件が適用されたことになる。次いで、制御部１０では、裏当て条件が第１の裏当て条件に設定されているか否かを再び判断し（ステップＳ３０）、第１の裏当て条件に設定されている場合は、データ保持部１１に保持された測色データをインタフェース部７から制御端末に出力させる（ステップＳ３２）。これまでの処理は、上記第１実施形態の場合と同様である。
【００４７】
一方、上記ステップＳ２２において、裏当て条件が第１の裏当て条件に設定されていなかった場合（換言すると、第２の裏当て条件に設定されていた場合）、制御部１０は、印刷サンプルの非印刷部を測定台１の白色裏当て部４Ａに位置合わせして置くように指示する案内メッセージを操作パネル３の表示部３Ｂに表示させる（ステップＳ２３）。これにより、ユーザは、表示部３Ｂに表示された指示内容にしたがって印刷サンプルの非印刷部を白色裏当て部４Ａに位置合わせする。次いで、制御部１０は、アーム駆動部８とヘッド駆動部９にそれぞれ駆動信号を出力して測色ヘッド６を白色裏当て部４Ａのほぼ真上に移動し、そこで印刷サンプルの非印刷部を測色する（ステップＳ２４）。この場合、非印刷部の測色に使用した裏当て材の色は白となるため、第２の裏当て条件が適用されたことになる。白色裏当て部４を使用して測色された非印刷部の測色データＲwbは制御部１０の指示にしたがってデータ保持部１１に記憶保持される。
【００４８】
続いて、制御部１０は、印刷サンプルの非印刷部を測定台１の黒色裏当て部４Ｂに位置合わせして置くように指示する案内メッセージを操作パネル３の表示部３Ｂに表示させる（ステップＳ２５）。これにより、ユーザは、表示部３Ｂに表示された指示内容にしたがって印刷サンプルの非印刷部を黒色裏当て部４Ｂに位置合わせする。次いで、制御部１０は、アーム駆動部８とヘッド駆動部９にそれぞれ駆動信号を出力して測色ヘッド６を黒色裏当て部４Ｂのほぼ真上に移動し、そこで印刷サンプルの非印刷部を測色する（ステップＳ２６）。この場合、非印刷部の測色に使用した裏当て材の色は黒となるため、第１の裏当て条件が適用されたことになる。黒色裏当て部４Ｂを使用して測色された非印刷部の測色データＲbbは制御部１０の指示にしたがってデータ保持部１１に記憶保持される。
【００４９】
その後、制御部１０は、データ保持部１１に保持された測色データＲwb，Ｒbbを演算部１２に転送して変換係数の算出を実行させる（ステップＳ２７）。演算部１２で算出された変換係数はデータ保持部１１に保持される。変換係数の算出は上記第１実施形態と同様の手法で行う。
【００５０】
次に、制御部１０では、印刷サンプルをセット部２に載置するように指示する案内メッセージを操作パネル３の表示部３Ｂに表示させる（ステップＳ２８）。これにより、ユーザは、表示部３Ｂに表示された指示内容にしたがって印刷サンプルをセット部２に載置する。続いて、制御部１０では、アーム駆動部８とヘッド駆動部９にそれぞれ駆動信号を出力して測色ヘッド６をセット部２の上で移動させ、そこに載置されている印刷サンプルの測色を実施する（ステップＳ２９）。次いで、制御部１０では、裏当て条件が第１の裏当て条件に設定されているか否かを再び判断し（ステップＳ３０）、第１の裏当て条件に設定されていなかった場合（換言すると、第２の裏当て条件に設定されていた場合）は、データ保持部１１に保持された測色データを、先のステップＳ８で演算部１２が算出した変換係数に基づいて変換し（ステップＳ３１）、この変換後の測色データをインタフェース部７から制御端末に出力させる（ステップＳ３２）。測色データの変換に係る演算処理は、制御部１０からの指示にしたがって上記第１実施形態の場合と同様の手法で演算部１２により実行される。
【００５１】
図８は本発明の第３実施形態に係る測色装置の測色系の構成を示す概略平面図である。図示した測色系の構成においては、上記第１実施形態に係る測色系の構成と比較して、白色裏当て部４の代わりに色切換式の裏当て切り換え部１４が設けられた構成となっている。この裏当て切り換え部１４は、被測定物が載置されるセット部２の領域内でかつ当該セット部２のコーナー部に設けられている。
【００５２】
図９は裏当て切り換え部１４の構成及び動作を説明する図である。まず、図９（Ａ）においては、測定台１の下側に回転軸１５が設けられている。回転軸１５は、図示しない回転駆動源により９０度の回転角度をもって双方向に回転動作するものである。この回転軸１５は図の上下方向に移動可能に支持されている。また、回転軸１５の軸上には略半月形の支持部材１６が固定状態で取り付けられている。支持部材１６の外周面には白色裏当て部１７と黒色裏当て部１８が接着等により取り付けられている。各々の裏当て部１７，１８は同じ大きさの平板状に形成されている。また、各々の裏当て部１７，１８は互いに直角をなす向きで支持部材１６に取り付けられている。これに対して、測定台１のセット部２のコーナー部には、各々の裏当て部１７，１８を嵌合可能な矩形の開口部が設けられている。
【００５３】
上記構成の裏当て切り換え部１４においては、回転軸１５を図の時計回り方向の終端まで回転させることにより、白色裏当て部１７がセット部２の開口部と対向し、この状態から回転軸１５とともに支持部材１６を上方に移動させることにより、上記開口部に白色裏当て部１７が嵌合した状態となる（図９（Ｂ）参照）。この状態ではセット部２と白色裏当て部１７がほぼ同一平面を形成するように配置される。また、この状態から回転軸１５とともに支持部材１６を下方に移動させることにより、上記開口部から白色裏当て部１７が離脱した状態となる。さらに、この状態から回転軸１５を図の反時計回り方向の終端まで回転させることにより、白色裏当て部１７に代わって黒色裏当て部１８が開口部と対向し、この状態から回転軸１５とともに支持部材１６を上方に移動させることにより、上記開口部に黒色裏当て部１８が嵌合した状態となる（図９（Ｃ）参照）。この状態ではセット部２と黒色裏当て部１８がほぼ同一平面を形成するように配置される。このようにセット部２のコーナー部に設けた開口部に対して白色裏当て部１７と黒色裏当て部１８を選択的に嵌合させることにより、当該開口部における裏当て材の色を白と黒のいずれかで自在に切り換えることができる。
【００５４】
図１０は本発明の第３実施形態に係る測色装置の制御系の構成を示すブロック図である。図示した制御系の構成においては、上記第１実施形態に係る制御系の構成と比較して、特に、上述した操作パネル３、インタフェース部７、アーム駆動部８、ヘッド駆動部９、制御部１０、データ保持部１１、演算部１２と共通のバスラインＢＬに、裏当て駆動部１９が接続された点が異なっている。裏当て駆動部１９は、上記裏当て切り換え部１４を駆動することにより、回転軸１５を回転させて裏当て材の色を切り換えるものである。
【００５５】
図１１は本発明の第３実施形態に係る測色装置を用いて印刷サンプルを測色する際の手順を示すフローチャートである。なお、ここでは動作開始の初期状態として、裏当て切り換え部１４の黒色裏当て部１８がセット部２の開口部に嵌合されているものとする。
【００５６】
まず、印刷サンプルを測色するにあたって、ユーザは、被測定面を上向きにして印刷サンプルを測定台１のセット部２に載置した後、操作パネル３の入力部３Ａで所望の裏当て条件を入力（選択）してから測色の開始ボタンを押す。そうすると、制御部１０は、操作パネル３の入力部３Ａから入力された裏当て条件にしたがって測色の裏当て条件を設定する（ステップＳ４１）。次に、制御部１０は、印刷サンプルをセット部２に載置するように指示する案内メッセージを操作パネル３の表示部３Ｂに表示させる（ステップＳ４２）。これにより、ユーザは、表示部３Ｂに表示された指示内容にしたがって印刷サンプルをセット部２に載置する。
【００５７】
続いて、制御部１０では、先に設定した裏当て条件が第１の裏当て条件であるか否かを判断する（ステップＳ４３）。そして、第１の裏当て条件に設定されている場合はステップＳ４９に移行する。ステップＳ４９では、アーム駆動部８とヘッド駆動部９にそれぞれ駆動信号を出力して測色ヘッド６をセット部２のほぼ真上に移動し、そこに載置されている印刷サンプルの測色を実施する。その際、測色ヘッド６は、アーム駆動部８によってＸＹ方向に適宜移動しながら、セット部２に載置された印刷サンプルの測色をカラーパッチごとに行う。測色ヘッド６で測色された各カラーパッチに対応する測色データは制御部１０の指示にしたがってデータ保持部１１に記憶保持される。また、印刷サンプルのカラーパッチの測色に使用した裏当て材の色は黒となるため、第１の裏当て条件が適用されたことになる。次いで、制御部１０では、裏当て条件が第１の裏当て条件に設定されているか否かを再び判断し（ステップＳ５０）、第１の裏当て条件に設定されている場合は、データ保持部１１に保持された測色データをインタフェース部７から制御端末に出力させる（ステップＳ５２）。
【００５８】
一方、上記ステップＳ４３において、裏当て条件が第１の裏当て条件に設定されていなかった場合（換言すると、第２の裏当て条件に設定されていた場合）、制御部１０は、裏当て駆動部１９に駆動信号を出力することにより裏当て切り換え部１４を動作させ、これによってセット部２の開口部から黒色裏当て部１８を離脱させるとともに、この黒色裏当て部１８に代わって白色裏当て部１７を開口部に嵌合させることにより、裏当て材の色を黒から白に切り換える（ステップＳ４４）。次いで、制御部１０は、アーム駆動部８とヘッド駆動部９にそれぞれ駆動信号を出力して測色ヘッド６を白色裏当て部１７のほぼ真上に移動し、そこで印刷サンプルの所定部を測色する（ステップＳ４５）。この場合、所定部の測色に使用した裏当て材の色は白となるため、第２の裏当て条件が適用されたことになる。白色裏当て部１７を使用して測色された所定部の測色データＲwbは制御部１０の指示にしたがってデータ保持部１１に記憶保持される。
【００５９】
続いて、制御部１０は、裏当て駆動部１９に駆動信号を出力することにより裏当て切り換え部１４を動作させ、これによってセット部２の開口部から白色裏当て部１７を離脱させるとともに、この白色裏当て部１７に代わって黒色裏当て部１８を開口部に嵌合させることにより、裏当て材の色を白から黒に切り換える（ステップＳ４６）。次いで、制御部１０は、ヘッド駆動部９に駆動信号を出力して印刷サンプルの所定部を測色する（ステップＳ４７）。この場合、所定部の測色に使用した裏当て材の色は黒となるため、第１の裏当て条件が適用されたことになる。黒色裏当て部１８を使用して測色された所定部の測色データＲbbは制御部１０の指示にしたがってデータ保持部１１に記憶保持される。また、セット部２で印刷サンプルを動かさずに測色するため、印刷サンプルの同一箇所分（同色部）が白色裏当て部１７と黒色裏当て部１８を用いて順に測色されることになる。
【００６０】
その後、制御部１０は、データ保持部１１に保持された測色データＲwb，Ｒbbを演算部１２に転送して変換係数の算出を実行させる（ステップＳ４８）。演算部１２で算出された変換係数はデータ保持部１１に保持される。変換係数の算出は上記第１実施形態と同様の手法で行う。
【００６１】
続いて、制御部１０では、アーム駆動部８とヘッド駆動部９にそれぞれ駆動信号を出力して測色ヘッド６をセット部２の上で移動させ、そこに載置されている印刷サンプルの測色を実施する（ステップＳ４９）。次いで、制御部１０では、裏当て条件が第１の裏当て条件に設定されているか否かを再び判断し（ステップＳ５０）、第１の裏当て条件に設定されていなかった場合（換言すると、第２の裏当て条件に設定されていた場合）は、データ保持部１１に保持された測色データを、先のステップＳ４８で演算部１２が算出した変換係数に基づいて変換し（ステップＳ５１）、この変換後の測色データをインタフェース部７から制御端末に出力させる（ステップＳ５２）。測色データの変換に係る演算処理は、制御部１０からの指示にしたがって上記第１実施形態の場合と同様の手法で演算部１２により実行される。
【００６２】
図１２は本発明の第４実施形態に係る測色装置の測色系の構成を示す概略平面図である。図示した測色系の構成においては、上記第１実施形態に係る測色系の構成と比較して、白色裏当て部４の位置が異なるとともに、印刷サンプルを自動的に搬送するための搬送機構として、供給トレイ２０、排出トレイ２１、供給ローラ２２、搬送ベルト２３、排出ローラ２４を備えた構成となっている。
【００６３】
供給トレイ２０は、被測定物となる印刷サンプルが供給されるトレイであり、排出トレイ２１は、測色を終えた印刷サンプルが排出されるトレイである。供給トレイ２０は測定台１の一方側に隣接して設けられ、排出トレイ２１は測定台１の他方側に隣接して設けられている。
【００６４】
供給ローラ２２は、供給トレイ２０に供給された印刷サンプルを測定台１上に供給するものである。この供給ローラ２２は、互いに同期して同一方向に回転する一対のローラによって構成されている。搬送ベルト２３は、供給ローラ２２によって供給された印刷サンプルを受け取って所定のセット部２まで搬送し、そのセット部２で一旦、測色のために印刷サンプルを停止させた後、セット部２から排出トレイ２１側に印刷サンプルを搬送するものである。この搬送ベルト２３は、ループ状に張設された黒色のベルトによって構成され、このベルト上に印刷サンプルを載せて矢印方向（図の右方向）に搬送するものとなっている。したがって、搬送ベルト２３によってセット部２へと搬送された印刷サンプルを測色ヘッド６で測色する場合は、黒色のベルトが裏当て材となる。排出ローラ２４は、搬送ベルト２３によって搬送された印刷サンプルを受け取って測定台１上から排出トレイ２１上に排出するものである。この排出ローラ２４は、上記供給ローラ２２と同様に、互いに同期して同一方向に回転する一対のローラによって構成されている。
【００６５】
白色裏当て部４は、測定台１上において供給ローラ２２と搬送ベルト２３との間の搬送経路上に設けられている。これにより、供給ローラ２２によって供給された印刷サンプルは白色裏当て部４の上を通過して搬送ベルト２３へと受け渡されるようになっている。
【００６６】
図１３は本発明の第４実施形態に係る測色装置の制御系の構成を示すブロック図である。図示した制御系の構成においては、上記第１実施形態に係る制御系の構成と比較して、特に、上述した操作パネル３、インタフェース部７、アーム駆動部８、ヘッド駆動部９、制御部１０、データ保持部１１、演算部１２と共通のバスラインＢＬに、搬送駆動部２５が接続された点が異なっている。
【００６７】
搬送駆動部２５は、供給ローラ駆動部２５Ａと搬送ベルト駆動部２５Ｂと排出ローラ駆動部２５Ｃとによって構成されている。供給ローラ駆動部２５Ａは、制御部１０から与えられる駆動信号にしたがって供給ローラ２２を回転駆動するものである。搬送ベルト駆動部２５Ｂは、制御部１０から与えられる駆動信号にしたがって搬送ベルト２３を回転駆動するものである。排出ローラ駆動部２５Ｃは、制御部１０から与えられる駆動信号にしたがって排出ローラ２４を回転駆動するものである。
【００６８】
図１４は本発明の第４実施形態に係る測色装置を用いて印刷サンプルを測色する際の手順を示すフローチャートである。
【００６９】
まず、印刷サンプルを測色するにあたって、ユーザは、被測定面を上向きにして１枚又は複数枚の印刷サンプルを供給トレイ２０の上に載置した後、操作パネル３の入力部３Ａで所望の裏当て条件を入力してから測色の開始ボタンを押す。そうすると、制御部１０は、操作パネル３の入力部３Ａから入力された裏当て条件にしたがって測色の裏当て条件を設定する（ステップＳ６１）。
【００７０】
次いで、制御部１０は、供給ローラ駆動部２５Ａに駆動信号を出力して供給ローラ２２を回転させることにより、印刷サンプルの供給を開始する（ステップＳ６２）。これにより、供給トレイ２０に載置された印刷サンプルの中で、最上位に位置する１枚の印刷サンプルが供給ローラ２２の回転にしたがって測定台１上に供給されていく。次に、制御部１０では、先に設定した裏当て条件が第１の裏当て条件であるか否かを判断する（ステップＳ６３）。そして、第１の裏当て条件に設定されている場合はステップＳ７１に移行する。ステップＳ７１では、搬送ベルト駆動部２５Ｂに駆動信号を出力して搬送ベルト２３を回転させるとともに、供給ローラ２２から搬送ベルト２３に受け渡された印刷サンプルが予め設定されたセット部２まで搬送された時点で搬送ベルト２３の回転を停止させる。
【００７１】
続いて、制御部１０は、アーム駆動部８とヘッド駆動部９にそれぞれ駆動信号を出力して測色ヘッド６をセット部２のほぼ真上に移動し、そこに載置されている印刷サンプルの測色を実施する（ステップＳ７２）。その際、測色ヘッド６は、アーム駆動部８によってＸＹ方向に適宜移動しながら、セット部２に載置された印刷サンプルの測色をカラーパッチごとに行う。測色ヘッド６で測色された各カラーパッチに対応する測色データは制御部１０の指示にしたがってデータ保持部１１に記憶保持される。また、印刷サンプルのカラーパッチの測色に使用した裏当て材（ベルト）の色は黒となるため、第１の裏当て条件が適用されたことになる。
【００７２】
次に、制御部１０は、搬送ベルト駆動部２５Ｂ及び排出ローラ駆動部２５Ｃにそれぞれ駆動信号を出力して搬送ベルト２３及び排出ローラ２４を回転させることにより、測色を終えた印刷サンプルを測定台１上から排出トレイ２１に排出させる（ステップＳ７３）。次いで、制御部１０では、裏当て条件が第１の裏当て条件に設定されているか否かを再び判断し（ステップＳ７４）、第１の裏当て条件に設定されている場合は、データ保持部１１に保持された測色データをインタフェース部７から制御端末に出力させる（ステップＳ７６）。その後、制御部１０は、供給トレイ２０に印刷サンプルが残っているか否かを判断し、残っている場合は上記ステップＳ６２からの処理を繰り返す。供給トレイ２０に印刷サンプルが残っているか否かについては、例えば、供給トレイ２０上で印刷サンプルが載置される領域内に検知センサを設け、この検知センサで印刷サンプルの有無を検知することにより判断すればよい。
【００７３】
一方、上記ステップＳ６３において、裏当て条件が第１の裏当て条件に設定されていなかった場合（換言すると、第２の裏当て条件に設定されていた場合）、制御部１０は、アーム駆動部８に駆動信号を出力して測色ヘッド６を白色裏当て部４のほぼ真上に移動する（ステップＳ６４）。次に、制御部１０は、供給ローラ２２によって供給された印刷サンプルの所定部（好ましくは非印刷部）が白色裏当て部４の直上に配置された時点で供給ローラ２２の回転を停止させる（ステップＳ６５）。印刷サンプルの所定部が白色裏当て部４の直上に配置されたか否かについては、例えば、供給ローラ２２と白色裏当て部４との間の搬送経路上に印刷サンプルの通過を検知するパスセンサを設け、このパスセンサで印刷サンプルの先端の通過を検知し、この検知タイミングからの供給ローラ２２の回転量に基づいて判断すればよい。次いで、制御部１０は、ヘッド駆動部９に駆動信号を出力して測色ヘッド６で印刷サンプルの所定部を測色する（ステップＳ６６）。この場合、所定部の測色に使用した裏当て材の色は白となるため、第２の裏当て条件が適用されたことになる。白色裏当て部４を使用して測色された所定部の測色データＲwbは制御部１０の指示にしたがってデータ保持部１１に記憶保持される。
【００７４】
続いて、制御部１０は、供給ローラ駆動部２５Ａと搬送ベルト駆動部２５Ｂにそれぞれ駆動信号を出力して供給ローラ２２と搬送ベルト２３を回転させるとともに、これによって供給ローラ２２から搬送ベルト２３に受け渡された印刷サンプルが予め設定されたセット部２まで搬送された時点で供給ローラ２２と搬送ベルト２３の回転を停止させる（ステップＳ６７）。次に、制御部１０は、アーム駆動部８に駆動信号を出力して測色ヘッド６を、先のステップＳ６６で測色対象とした印刷サンプルの所定部のほぼ真上に移動させる（ステップＳ６８）。この場合、測色ヘッド６は白色裏当て部４の直上位置から可動アーム５の長手方向に沿って移動を開始することから、制御部１０は、可動アーム５に沿って移動する測色ヘッド６の移動量が、上記供給ローラ２２及び搬送ベルト２３による印刷サンプルの移動量（搬送量）に一致するようにアーム駆動部８を駆動させることにより、測色ヘッド６を印刷サンプルの所定部の真上に停止（位置決め）させることができる。
【００７５】
次いで、制御部１０は、ヘッド駆動部９に駆動信号を出力して測色ヘッド６で印刷サンプルの所定部を測色する（ステップＳ６９）。この場合、所定部の測色に使用した裏当て材の色は黒となるため、第１の裏当て条件が適用されたことになる。黒の裏当て材（ベルト）を使用して測色された所定部の測色データＲbbは制御部１０の指示にしたがってデータ保持部１１に記憶保持される。その後、制御部１０は、データ保持部１１に保持された測色データＲwb，Ｒbbを演算部１２に転送して変換係数の算出を実行させる（ステップＳ７０）。演算部１２で算出された変換係数はデータ保持部１１に保持される。測色データの変換に係る演算処理は、制御部１０からの指示にしたがって上記第１実施形態の場合と同様の手法で演算部１２により実行される。
【００７６】
続いて、制御部１０では、アーム駆動部８とヘッド駆動部９にそれぞれ駆動信号を出力して測色ヘッド６をセット部２の上で移動させ、そこに載置されている印刷サンプルの測色を実施する（ステップＳ７２）。次いで、制御部１０は、搬送ベルト駆動部２５Ｂ及び排出ローラ駆動部２５Ｃにそれぞれ駆動信号を出力して搬送ベルト２３及び排出ローラ２４を回転させることにより、測色を終えた印刷サンプルを測定台１上から排出トレイ２１に排出させる（ステップＳ７３）。
【００７７】
続いて、制御部１０では、裏当て条件が第１の裏当て条件に設定されているか否かを再び判断し（ステップＳ７４）、第１の裏当て条件に設定されていなかった場合（換言すると、第２の裏当て条件に設定されていた場合）は、データ保持部１１に保持された測色データを、先のステップＳ７０で演算部１２が算出した変換係数に基づいて変換し（ステップＳ７５）、この変換後の測色データをインタフェース部７から制御端末に出力させる（ステップＳ７６）。その後、制御部１０は、供給トレイ２０に印刷サンプルが残っているか否かを判断し、残っている場合は上記ステップＳ６２からの処理を繰り返す。
【００７８】
なお、上記第１〜第４実施形態においては、測色装置に白色の裏当て材（裏当て部）を設け、この裏当て材を利用して測色データＲwbを得るようにしているが、印刷サンプルが設置される部分に白紙を数枚敷き込んで、その上に印刷サンプルを置いて測色することにより、測色データＲwbを得るものとしてもよい。また、上記第１〜第４実施形態においては、変換係数の算出に用いられる測色データＲbb，Ｒwbを実際に測色装置で測定して得るものとしたが、これ以外にも、第２の裏当て条件（裏当て材の色が白色）で印刷サンプルの一部（例えば、非印刷部）を別途（例えば、本発明の測色装置とは別の測色装置を用いて）測色して測色データＲwbを取得し、この測色データＲwbを図示しないデータ入力部から測色装置の内部に取り込んで変換係数を算出する構成を採用することも可能である。
【００７９】
図１５は本発明の第５実施形態に係るデータ変換装置の構成を示すブロック図である。図において、データ変換装置２６は、測色データ入力部２７と、係数算出部２８と、係数保持部２９と、データ変換部３０とを備えて構成されている。測色データ入力部２７は、測色装置３１を用いて測色された測色データを入力するためのものである。係数算出部２８は、測色データ入力部２７から入力される測色データを用いて変換係数を算出するものである。
【００８０】
係数保持部２９は、係数算出部２８によって算出された変換係数を記憶保持するものである。データ変換部３０は、測色データ入力部２７から入力される測色データを、係数保持部２９に保持された変換係数に基づいて変換するものである。測色データ入力部２７からは、係数算出部２８で変換係数を算出するために用いられる測色データと、データ変換部３０でデータ変換の対象とする測色データが入力される。これらの測色データは、分光反射率、三刺激値のいずれで表されたデータであってもよく、また測色装置３１からダイレクトに入力されるものでも、ハードディスク等からの読み出しによって入力されるものでも、ユーザの入力操作（キー操作等）によって入力されるものでもよい。また、データ変換の対象となる測色データは、実際に測色装置を用いて測色されたデータではなく、予めデータベース化されたカラーモデルから予測されるデータであってもよい。
【００８１】
図１６は本発明の第５実施形態に係るデータ変換装置の処理手順を示すフローチャートである。まず、印刷装置３１を用いて印刷サンプルの同色部を裏当て条件を変えて測色したときに得られた測色データ(Ｒwb，Ｒbb)を測色データ入力部２７から取り込む（ステップＳ８１）。印刷サンプルの同色部とは、印刷サンプルの被測定面の中で色が同じ部分をいい、具体的には非印刷部、同一箇所、同じ色で印刷された部分などをいう。この同色部は、基本的には何色であってもよいが、特に白色又は非印刷部である方がＳ／Ｎ的に有利であり、誤差が小さくなるといった効果が得られる。また、裏当て条件は裏当て材の色が白か黒かによって異なる。ここでは、一例として、裏当て材の色が黒の場合を第１の裏当て条件、白の場合を第２の裏当て条件とする。また、第１の裏当て条件で印刷サンプルの同色部を測色したときの測色データをＲbbとし、第２の裏当て条件で印刷サンプルの同色部を測色したときの測色データをＲwbとする。
【００８２】
こうして測色データ入力部２７から入力された印刷サンプルの同色部の測色データ(Ｒwb，Ｒbb)は係数算出部２８に与えられる。そうすると、係数算出部２８では、測色データ入力部２７から与えられた同色部の測色データ(Ｒwb，Ｒbb)を用いて変換係数を算出する（ステップＳ８２）。変換係数の算出は上記第１実施形態と同様の手法（計算式）で行う。係数算出部２８で算出された変換係数は係数保持部２９に記憶保持される（ステップＳ８３）。
【００８３】
次いで、印刷装置３１を用いて第１の裏当て条件（裏当て材の色が黒の条件）で印刷サンプルのカラーパッチを測色したときに得られた測色データを測色データ入力部２７から取り込む（ステップＳ８４）。こうして測色データ入力部２７から入力された印刷サンプルのカラーパッチの測色データはデータ変換部３０に与えられる。そうすると、データ変換部３０では、測色データ入力部２７から与えられたカラーパッチの測色データを、係数保持部２９に保持された変換係数を用いて変換する（ステップＳ８５）。測色データの変換に係る演算処理は上記第１実施形態の同様の手法（計算式）で行う。
【００８４】
以上の手順にしたがって測色データを変換することにより、測色データ入力部２７から入力されるカラーパッチの測色データが第１の裏当て条件で測色されたものであっても、この測色データを第２の裏当て条件に適合する測色データに変換することができる。
【００８５】
図１７は本発明の第６実施形態に係るプロファイル作成装置の構成を示すブロック図である。図において、プロファイル作成装置３２は、パッチデータ入力部３３と、測色データ入力部３４と、係数保持部３５と、データ変換部３６と、プロファイル作成部３７とを備えて構成されている。パッチデータ入力部３３は、測色装置３８で被測定物となる印刷サンプルにカラーパッチを印刷（記録）するときに適用された各々のカラーパッチの色を表すパッチデータを入力するものである。ここで、プロファイル作成装置３２が印刷デバイス用のプロファイルを作成するものとすると、パッチデータには印刷デバイスに対応するＹＭＣＫ表色系の色データが用いられる。また印刷サンプルには、ＹＭＣＫデータで表されるパッチデータを適用してカラーパッチが印刷される。したがって、この印刷サンプルのカラーパッチを測色装置３８で測色したときに得られる測色データは、印刷サンプルの印刷に使用した印刷デバイスの特性に依存したものとなる。
【００８６】
測色データ入力部３４は、測色装置３８を用いて測色された印刷サンプルの測色データを入力するためのものである。この測色データ入力部３４からは、印刷サンプルに印刷されたカラーパッチの測色データが入力される。この測色データは、分光反射率、三刺激値のいずれで表されたデータであってもよく、また測色装置３８からダイレクトに入力されるものでも、ユーザの入力操作（キー操作等）によって入力されるものでもよい。また、データ変換の対象となる測色データは、実際に測色装置を用いて測色されたデータではなく、予めデータベース化されたデータや、カラーモデルから予測されるデータであってもよい。
【００８７】
係数保持部３５は、測色データの変換に用いられる変換係数を記憶保持するものである。この係数保持部３５に保持される変換係数は、上記第１実施形態と同様に、印刷サンプル（被測定物）を測色する際に用いられる裏当て材の色を変えた第１の裏当て条件と第２の裏当て条件で印刷サンプルの同色部を測色したときの測色データに基づいて算出されるものである。ここでは、一例として、裏当て材の色が黒の場合を第１の裏当て条件、白の場合を第２の裏当て条件とする。
【００８８】
データ変換部３６は、測色データ入力部３４から入力される測色データを、係数保持部３５に保持された変換係数に基づいて変換するものである。ちなみに、測色装置３８で測色される印刷サンプルには、様々な種類の用紙や坪量の異なる用紙が用いられることが考えられる。印刷サンプルに使用される用紙の種類や坪量が変わると、この印刷サンプルの同色部を第１の裏当て条件と第２の裏当て条件で測色したときの測色データに差が生じ、当該測色データに基づいて算出される変換係数の値も異なるものとなる。そのため、理想的には、同じ印刷サンプルを用いて、同じ測色装置を使って、変換係数算出用の測色データとデータ変換用の測色データを取得することが好ましい。ただし、その都度、そうした測色データを採取するとなると、データ変換に係る一連の処理が煩雑化することも懸念される。そこで、上述した係数保持部３５には、用紙の種類及び坪量の少なくとも一方と対応付けて変換係数を保持しておき、実際に測色の対象とした印刷サンプルに用いた用紙の情報（種類、坪量）が指定された場合は、この情報をデータ変換部３６で受け取り、指定された用紙の種類や坪量に対応付けられた変換係数を係数保持部３５から読み出してデータ変換に用いることが望ましい。
【００８９】
プロファイル作成部３７は、パッチデータ入力部３３から入力されるパッチデータとデータ変換部３６で変換された測色データ（変換後のデータ）とに基づいて色変換用のプロファイルを作成するものである。このプロファイル作成部３７では、パッチデータと測色データとの対応関係をＬＵＴ（ルックアップテーブル）に格納したり、それらの入出力の関係をマトリクス演算によって対応付けることにより、プロファイルを作成する。
【００９０】
図１８は本発明の第６実施形態に係るプロファイル作成装置の処理手順を示すフローチャートである。まず、印刷サンプルの印刷に適用されたパッチデータをパッチデータ入力部３３から取り込む（ステップＳ９１）。こうしてパッチデータ入力部３３から入力されたパッチデータはプロファイル作成部３７に与えられる。次に、測色装置３８を用いて印刷サンプルのカラーパッチを測色したときに得られた測色データを測色データ入力部３４から取り込む（ステップＳ９２）。こうして測色データ入力部３４から入力された測色データは、プロファイル作成用のデータとしてプロファイル作成部３７に与えられる。
【００９１】
次いで、先に取り込んだ測色データをデータ変換部３６に送り、そこで、予め係数保持部３５に保持されている変換係数を用いて、測色データを変換する（ステップＳ９３）。測色データの変換に係る演算処理は上記第１実施形態の同様の手法（計算式）で行う。続いて、データ変換部３６で変換された測色データをプロファイル作成部３７に送り、このプロファイル作成部３７で、先に入力されたパッチデータとの対応付けを行って色変換プロファイルを作成する（ステップＳ９４）。
【００９２】
以上の手順にしたがってプロファイルを作成することにより、測色データ入力部３４から入力されるカラーパッチの測色データが第１の裏当て条件で測色されたものであっても、この測色データをデータ変換部３６で変換してプロファイル作成部３７に与えることにより、第２の裏当て条件に適合するプロファイルを作成することができる。
【００９３】
図１９は本発明の第７実施形態に係るプロファイル作成装置の構成を示すブロック図である。このプロファイル作成装置は、プロファイル入力部３９と、データ抽出部４０と、条件判定部４１と、係数保持部４３と、データ変換部４３と、プロファイル作成部４４を備えて構成されている。プロファイル入力部３９は、第１の色変換プロファイルのプロファイルデータを入力するためのものである。プロファイル入力部３９から入力されるプロファイルデータには、当該第１の色変換プロファイルを作成するときに用いられたパッチデータと測色データが含まれる。
【００９４】
データ抽出部４０は、プロファイル入力部３９から入力される第１の色変換プロファイルのプロファイルデータから上記パッチデータと測色データを抽出するとともに、この抽出した２種類のデータのうち、パッチデータをプロファイル作成部４４に与える一方、測色データをデータ変換部４３に与えるものである。
【００９５】
条件判定部４１は、プロファイル入力部３９から入力される第１の色変換プロファイルのタグ情報にしたがって当該第１の色変換プロファイルが第１の裏当て条件で測色された測色データを用いて作成されたものであるか否かを判定するものである。第１の色変換プロファイル（ＩＣＣプロファイル）のタグ情報には裏当て材を直に測色したときの測色データ（三刺激値）が含まれる。そのため、このタグ情報を条件判定部４１で参照することにより、第１の色変換プロファイルが第１の裏当て条件で測色された測色データを用いて作成されたものであるか否かを判定することができる。ここでは、一例として、裏当て材の色が黒の場合を第１の裏当て条件、白の場合を第２の裏当て条件とする。
【００９６】
係数保持部４２は、測色データの変換に用いられる変換係数を記憶保持するものである。この係数保持部４２に保持される変換係数は、上記第１実施形態と同様に、印刷サンプル（被測定物）を測色する際に用いられる裏当て材の色を変えた第１の裏当て条件と第２の裏当て条件で印刷サンプルの同色部を測色したときの測色データに基づいて算出されるものである。データ変換部４３は、データ抽出部４０から与えられる測色データを、係数保持部４２に保持された変換係数に基づいて変換するものである。この場合も、上記第６実施形態と同様に、用紙の種類及び坪量の少なくとも一方と対応付けて変換係数を係数保持部４２に保持しておき、実際に測色の対象とした印刷サンプルに用いた用紙の情報（種類、坪量）が指定された場合は、この情報をデータ変換部４３で受け取り、指定された用紙の種類や坪量に対応付けられた変換係数を係数保持部４２から読み出してデータ変換に用いることが望ましい。プロファイル作成部４４は、データ抽出部４０から与えられるパッチデータとデータ変換部４３で変換された測色データ（変換後のデータ）とに基づいて第２の色変換プロファイルを作成するものである。
【００９７】
図２０は本発明の第７実施形態に係るプロファイル作成装置の処理手順を示すフローチャートである。まず、プロファイル入力部３９から第１の色変換プロファイルのプロファイルデータを取り込む（ステップＳ１０１）。こうしてプロファイル入力部３９から入力されたプロファイルデータはデータ抽出部４０に与えられる。次に、データ抽出部４０において、第１の色変換プロファイルの作成に使用されたパッチデータと測色データとを抽出する（ステップＳ１０２）。このとき、データ抽出部４０は、プロファイルデータから抽出したパッチデータをプロファイル作成部４４に与えるとともに、測色データをデータ変換部４３に与える。
【００９８】
次いで、先ほどプロファイル入力部３９から入力された第１の色変換プロファイルのタグ情報にしたがって当該第１の色変換プロファイルが第１の裏当て条件で測色された測色データを用いて作成されたものであるか否かを条件判定部４１で判定する（ステップＳ１０３）。次に、この判定結果に基づいて測色データの変換可否を判別する。すなわち、第１の色変換プロファイルが第１の裏当て条件で測色された測色データを用いて作成されたものであると判定した場合（ステップＳ１０４でＹｅｓと判定した場合）は、係数保持部４２に保持されている変換係数を用いてデータ変換部４３が測色データの変換処理を行う（ステップＳ１０５）。測色データの変換に係る演算処理は上記第１実施形態の同様の手法（計算式）で行う。続いて、データ変換部４３で変換された測色データをプロファイル作成部４４に送り、このプロファイル作成部４４で第２の色変換プロファイルを作成する（ステップＳ１０６）。これに対して、第１の色変換プロファイルが第１の裏当て条件で測色された測色データを用いて作成されたものではないと判定した場合（ステップＳ１０４でＮｏと判定した場合）は、データ変換とプロファイル作成を行うことなく処理を終了する。
【００９９】
以上の手順にしたがってプロファイルの作成を行うことにより、プロファイル入力部３９から入力される第１の色変換プロファイルの測色データが第１の裏当て条件で測色されたものであっても、この測色データをデータ変換部４３で変換してプロファイル作成部４４に与えることにより、第２の裏当て条件に適合するプロファイル（第２の色変換プロファイル）を作成することができる。また、第１の色変換プロファイルの測色データに適用された裏当て条件を条件判定部４１で判定することにより、データ変換部４３で測色データの変換処理を行うか否かを自動的に判断させることができる。
【図面の簡単な説明】
【０１００】
【図１】本発明の第１実施形態に係る測色装置の測色系の構成を示す概略平面図である。
【図２】本発明の第１実施形態に係る測色装置の制御系の構成を示すブロック図である。
【図３】本発明の第１実施形態に係る測色装置を用いて印刷サンプルを測色する際の手順を示すフローチャートである。
【図４】本発明の測色装置による印刷サンプルの測色結果の一例を示す図である。
【図５】本発明の測色装置による印刷サンプルの測色結果の他の例を示す図である。
【図６】本発明の第２実施形態に係る測色装置の測色系の構成を示す概略平面図である。
【図７】本発明の第２実施形態に係る測色装置を用いて印刷サンプルを測色する際の手順を示すフローチャートである。
【図８】本発明の第３実施形態に係る測色装置の測色系の構成を示す概略平面図である。
【図９】裏当て切り換え部の構成及び動作を説明する図である。
【図１０】本発明の第３実施形態に係る測色装置の制御系の構成を示すブロック図である。
【図１１】本発明の第３実施形態に係る測色装置を用いて印刷サンプルを測色する際の手順を示すフローチャートである。
【図１２】本発明の第４実施形態に係る測色装置の測色系の構成を示す概略平面図である。
【図１３】本発明の第４実施形態に係る測色装置の制御系の構成を示すブロック図である。
【図１４】本発明の第４実施形態に係る測色装置を用いて印刷サンプルを測色する際の手順を示すフローチャートである。
【図１５】本発明の第５実施形態に係るデータ変換装置の構成を示すブロック図である。
【図１６】本発明の第５実施形態に係るデータ変換装置の処理手順を示すフローチャートである。
【図１７】本発明の第６実施形態に係るプロファイル作成装置の構成を示すブロック図である。
【図１８】本発明の第６実施形態に係るプロファイル作成装置の処理手順を示すフローチャートである。
【図１９】本発明の第７実施形態に係るプロファイル作成装置の構成を示すブロック図である。
【図２０】本発明の第７実施形態に係るプロファイル作成装置の処理手順を示すフローチャートである。
【図２１】裏当て材の色の違いによる測色データの差を示す図（その１）である。
【図２２】裏当て材の色の違いによる測色データの差を示す図（その２）である。
【符号の説明】
【０１０１】
１…測定台、２…セット部、３…操作パネル、４，４Ａ，１７…白色裏当て部、４Ｂ，１８…黒色裏当て部、５…可動アーム、６…測色ヘッド、８…アーム駆動部、９…ヘッド駆動部、１０…制御部、１１…データ保持部、１２…演算部、１４…裏当て切り換え部、１９…裏当て駆動部、２０…供給トレイ、２１…排出トレイ、２２…供給ローラ、２３…搬送ベルト、２４…排出ローラ、２５…搬送駆動部、２６…データ変換装置、２７，３４…測色データ入力部、２８…係数算出部、２９，３５，４２…係数保持部、３０，３６，４３…データ変換部、３１…測色装置、３２，４４…プロファイル作成部、３３…パッチデータ入力部、３７…プロファイル作成部、３８…プロファイル入力部、４０…データ抽出部，４１…条件判定部
【図１】
2005249563.tif 000003
【図２】
2005249563.tif 000004
【図３】
2005249563.tif 000005
【図４】
2005249563.tif 000006
【図５】
2005249563.tif 000007
【図６】
2005249563.tif 000008
【図７】
2005249563.tif 000009
【図８】
2005249563.tif 000010
【図９】
2005249563.tif 000011
【図１０】
2005249563.tif 000012
【図１１】
2005249563.tif 000013
【図１２】
2005249563.tif 000014
【図１３】
2005249563.tif 000015
【図１４】
2005249563.tif 000016
【図１５】
2005249563.tif 000017
【図１６】
2005249563.tif 000018
【図１７】
2005249563.tif 000019
【図１８】
2005249563.tif 000020
【図１９】
2005249563.tif 000021
【図２０】
2005249563.tif 000022
【図２１】
2005249563.tif 000023
【図２２】
2005249563.tif 000024